(57)【要約】      （修正有）【課題】蓄光エネルギーを利用し、肩凝り等の疾病を緩和して、健康状態へ促すことが可能な補助具と装身具とを兼ね備えた健康装身具を提供する。【解決手段】健康装身具１は、蓄光スペクトル波長を持つ光を出射する蓄光物質を含み貫通穴４を設けている蓄光成形体２と、蓄光成形体が連珠状に取付けられた基体３とを備えている。蓄光成形体には、その少なくとも一部に、蓄光スペクトル波長の最大値を異なるスペクトル波長に変換する色素を有する変換部が塗布されている。【選択図】図１
0003188231.tif 000002
【実用新案登録請求の範囲】
【請求項１】
蓄光スペクトル波長を持つ光を出射する蓄光物質を含み貫通穴を設けている蓄光成形体と、
前記蓄光成形体が連珠状に取付けられた基体とを備えている
健康装身具。
【請求項２】
前記蓄光成形体は、変換部を備えている、
請求項１に記載の健康装身具。
【請求項３】
前記基体は、柔軟性を有し、環状に形成されている、
請求項１又は２の何れか１項に記載の健康装身具。
【考案の詳細な説明】
【技術分野】
【０００１】  本考案は、健康状態へ促すための健康装身具に関する。
【背景技術】
【０００２】  従来、健康装身具として、治療効果を保障するものがある（例えば、特許文献１参照。）。この健康装身具は、いわゆるクリスタルパワーを利用した天然水晶片及び電磁誘導作用を利用した永久磁石片を連珠状にしたものである。
【先行技術文献】
【特許文献】
【０００３】
【特許文献１】特開平１１−７５９１６号公報
【考案の概要】
【考案が解決しようとする課題】
【０００４】  しかしながら、特許文献１に記載の健康装身具では、それなりの健康状態へ促進する効果があるが、常用して行くにつれて効果が薄くなる等の問題があった。【０００５】  そこで、本考案の目的は、肩凝り等の疾病を緩和して、健康状態へ促すことが可能な補助具と装身具とを兼ね備えた健康装身具を提供することにある。
【考案が解決するための手段】
【０００６】  本考案は上記課題を解決することを目的として、蓄光スペクトル波長を持つ光を出射する蓄光物質を含み貫通穴を設けている蓄光成形体と、前記蓄光成形体が連珠状に取付けられた基体とを備えている健康装身具を提供する。
【０００７】  また、前記蓄光成形体は、変換部を備えているとよい。
【０００８】  また、前記基体は、柔軟性を有し、環状に形成されているとよい。
【発明の効果】
【０００９】  本考案に係る健康装身具によれば、肩凝り等の疾病を緩和して、健康状態へ促すことが可能な補助具と装身具とを兼ね備えることが可能となる。
【図面の簡単な説明】
【００１０】
【図１】本考案の実施の形態に係る健康装身具の構成例を示す平面図である。
【図２】（ａ）はヘモグロビンのスペクトル波長と吸収率との関係を示す曲線、（ｂ）は蓄光成形体２のスペクトル波長と蓄光エネルギー相対値との関係を示す曲線を示す図である。
【考案を実施するための形態】
【００１１】  ［実施の形態］
この健康装身具は、蓄光の蓄光スペクトル波長を利用して構成されるものである。以下、図１及び図２を参照して、より具体的に説明する。
【００１２】  図１は、本考案の実施の形態に係る健康装身具１の構成例を示す平面図である。
【００１３】  この健康装身具１は、蓄光スペクトル波長を持つ光を出射する蓄光物質を含み貫通穴４を設けている蓄光成形体２と、蓄光成形体２が連珠状に取付けられた基体３とを備えている。
【００１４】  ここで、蓄光物質とは、アルミン酸ストロンチウムや硫化亜鉛等を母体に希土類を加え焼成した化合物で、太陽及び照明器具より出射される光を吸収し、励起した後に光を出射する物質である。また、蓄光物質が励起するために吸収されるスペクトル波長は、例えば２００ｎｍ〜４５０ｎｍ前後である。
【００１５】  ここで、蓄光スペクトル波長とは、蓄光物質が光を出射する際における波長である。また、出射時の蓄光スペクトル波長は図２に示すように、４００ｎｍ〜７００ｎｍ前後にて、最大値は５２０ｎｍ前後である。
【００１６】  蓄光成形体２は、球面体で貫通穴４が設けられており、本実施の形態では１７個の蓄光成形体２が連珠状に基体３に取付けられている。なお、蓄光成形体２は球面体に限らず、例えば楕円体、星形体、鱗形体、多球面体等を有していてもよい。また、蓄光成形体２の取付け個数は１７個に限らず、任意の個数でよい。
【００１７】  基体３は、柔軟性を有し環状にできる、例えば糸、針金、ゴム等が使用可能である。
【００１８】  基体３は、蓄光成形体２に設けられている貫通穴４に通して、蓄光成形体２を連珠状に取付ける。また、基体３の両端に設けられているオス留具部６及びメス留具部７によって接合し、環状に形成される。なお、基体３の両端に図略の結び目を設けて環状にすることも可能である。
【００１９】  また、蓄光成形体２には、変換部５を備えている。図略の変換部５は色素を有する部材、例えば赤色、青色、紫色等を蓄光成形体２の全体、又は少なくとも一部に塗布することにより構成されていてもよい。
【００２０】  変換部５は、前述の蓄光スペクトル波長の最大値５２０ｎｍ前後を、蓄光成形体２に塗布されている色素により、異なるスペクトル波長へ変換するものである。
【００２１】  （本実施の形態の作用及び効果）
以上説明した本実施の形態の作用及び効果について、図２を参照して、以下、説明する。
【００２２】  図２は、（ａ）はヘモグロビンのスペクトル波長と吸収率との関係を示す曲線、（ｂ）は蓄光成形体２のスペクトル波長と蓄光エネルギー相対値との関係を示す曲線を示す図である。但し、各曲線によって縦軸の次元が異なるため、吸収率と蓄光エネルギーの相対値とを二軸として示す。なお、（ａ）曲線は日形外会誌３：４５９−４４５、１９８３を参考にした。
【００２３】  生命維持に欠かせない血液は、体外より摂取した栄養素・水分・酸素を体細胞へ運搬し二酸化炭素・老廃棄物を運び出す媒体であるが、特に、赤血球の大部分を占めるヘモグロビンの吸収スペクトルは、波長に強く作用することが分かっている。
【００２４】  図２に示すように、ヘモグロビンと蓄光成形体２との各曲線は、ほぼ高値で近似している。即ち、蓄光成形体２より出射される光の蓄光スペクトル波長が、ヘモグロビンの吸収に際する波長域にあることにより、ヘモグロビンの吸収スペクトルは、より強く作用する。換言すれば、血液中のヘモグロビンは、より活性化して有効に酸素が体細胞へ供給されるため、体細胞はより活性化し、新陳代謝を促す等、健康状態へ促進する効果が発揮される。
【００２５】  光の放射スペクトル波長と、その伝播に伴う放射エネルギーとの関係は、Ｅ＝１２４０／λで定義され、Ｅは放射エネルギー、λは放射スペクトル波長である。従って、放射エネルギーは放射スペクトル波長に反比例する。即ち、放射スペクトル波長が長い場合は放射エネルギーが少なく、放射スペクトル波長が短い場合は放射エネルギーが大きいことが分かる。また、放射スペクトル波長が長い場合は深く浸透し、放射スペクトル波長が短い場合は浅く浸透する。
【００２６】  なおまた、体の各部位を構成する細胞は、少なくとも可視光線の放射スペクトル波長領域の特定のスペクトル波長と、その伝播に伴う放射エネルギーとを、より吸収することが分かっている。その結果、体細胞は活性化し、新陳代謝が促されるため、生命の成長や進化や維持及び治癒することが分かっている。
【００２７】  蓄光成形体２より出射される光の蓄光スペクトル波長（４００ｎｍ〜最大５２０ｎｍ前後〜７００ｎｍ）の最大波長を色素により変換して、より適したスペクトル波長と、その伝播に伴う放射エネルギーとを得ることは、体の治癒を促進させるための有効手段である。従って、蓄光スペクトル波長を色素により変換する変換部５をさらに備えて、疼痛及びその他の疾病の程度によって、色素により変換した蓄光スペクトル波長と、その伝播に伴う蓄光エネルギーとを局部近傍に作用させることにより、健康状態へ促進する効果が発揮される。
【００２８】  健康装身具１は、太陽及び照明器具より発せられる光の放射スペクトル波長と、その伝播に伴う放射エネルギーを入力源としている。また、蓄光物質は無機質素材のため劣化しにくい。従って、半永久的に使用可能であり、節約が図れる。
【００２９】  健康装身具１を体の末端部に近い両手首や両足首に取り付けることによって、血液の循環を促し、前述した作用と効果が発揮される。
【符号の説明】
【００３０】  １  健康装身具
２  蓄光成形体
３  基体
４  貫通穴
５  変換部
６  オス留具部
７  メス留具部
【図１】
0003188231.tif 000003
【図２】
0003188231.tif 000004
【手続補正書】
【提出日】平成25年8月6日(2013.8.6)
【手続補正１】
【補正対象書類名】実用新案登録請求の範囲
【補正対象項目名】全文
【補正方法】変更
【補正の内容】
【実用新案登録請求の範囲】
【請求項１】
蓄光スペクトル波長を持つ光を出射する蓄光物質を含み貫通穴を設けている蓄光成形体と、
前記蓄光成形体が連珠状に取付けられた基体とを備えている
健康装身具。
【請求項２】
前記蓄光成形体には、その少なくとも一部に色素を有する変換部が塗布されている、
請求項１に記載の健康装身具。
【請求項３】
前記基体は、柔軟性を有し、環状に形成されている、
請求項１又は２の何れか１項に記載の健康装身具。
【手続補正２】
【補正対象書類名】明細書
【補正対象項目名】０００７
【補正方法】変更
【補正の内容】
【０００７】  また、前記蓄光成形体には、その少なくとも一部に色素を有する変換部が塗布されているとよい。
【手続補正書】
【提出日】平成25年10月25日(2013.10.25)
【手続補正１】
【補正対象書類名】実用新案登録請求の範囲
【補正対象項目名】請求項２
【補正方法】変更
【補正の内容】
【請求項２】
前記蓄光成形体には、その少なくとも一部に、蓄光スペクトル波長の最大値を異なるスペクトル波長に変換する色素を有する変換部が塗布されている、
請求項１に記載の健康装身具。
【手続補正２】
【補正対象書類名】明細書
【補正対象項目名】０００７
【補正方法】変更
【補正の内容】
【０００７】  また、前記蓄光成形体には、その少なくとも一部に、蓄光スペクトル波長の最大値を異なるスペクトル波長に変換する色素を有する変換部が塗布されているとよい。